(57)【要約】【課題】簡素な構成で、差込口からの差込片の抜け出しを確実に防止する容器を提供すること。【解決手段】底板２０と、第１側板３０および第２側板４０と、第１側板３０の容器内側に配置される内板３２と、第１側板３０の容器外側に配置されるフラップ片５０とを有し、フラップ片５０は、第２側板４０に直接的または間接的に連結される連結辺５１ａを有したフラップ本体５１と、フラップ本体５１との連結箇所５２ａから連結辺５１ａ側に向けて延びるように形成された差込片５２とを有し、差込片５２は、第１側板３０に形成された差込口３０ａに容器外側から連結辺５１ａ側に向けて挿入され、第１側板３０と内板３２との間に配置される容器１０。【選択図】図４
2016120958.tif 000002
【特許請求の範囲】
【請求項１】
一枚の板材を折り曲げることで形成される容器であって、
底板と、互いに隣接して配置された第１側板および第２側板と、前記第１側板の容器内側に配置される内板と、前記第１側板の容器外側に配置されるフラップ片とを有し、
前記フラップ片は、前記第２側板に直接的または間接的に連結される連結辺を有したフラップ本体と、前記フラップ本体との連結箇所から前記連結辺側に向けて延びるように形成された差込片とを有し、
前記差込片は、前記第１側板に形成された差込口に容器外側から前記連結辺側に向けて挿入され、前記第１側板と前記内板との間に配置されることを特徴とする容器。
【請求項２】
前記内板の上辺は、前記第１側板の上辺に連結され、
前記内板の先端には、係止突部が形成され、
前記底板には、前記係止突部を挿入させる係止穴が形成されていることを特徴とする請求項１に記載の容器。
【請求項３】
前記フラップ片の前記連結辺は、前記第２側板の側辺に連結され、
前記第２側板および前記フラップ片は、前記容器の組立状態で、前記第１側板の上辺よりも上方に位置する位置決め突出部を有していることを特徴とする請求項１または請求項２に記載の容器。
【請求項４】
前記第２側板は、前記底板に対して垂直な垂直板部と、上方に向けて容器内側から容器外側に傾斜し、前記底板および前記垂直板部を連接する傾斜連接板部とを有することを特徴とする請求項３に記載の容器。
【発明の詳細な説明】
【技術分野】
【０００１】
本発明は、一枚の板材を折り曲げることで形成される容器に関し、特に、段ボール等の紙材を折り曲げて形成される手組可能な容器に関する。
【背景技術】
【０００２】
従来、一枚の板材を折り曲げることで形成される容器として、図８に示すように、底板１２０と、互いに隣接して配置された第１側板１３０および第２側板１４０と、第２側板１４０の上辺に連設された天面板１６０を介して、第２側板１４０に連結されたフラップ片１５０とを有し、フラップ片１５０に形成された差込片１５２を第１側板１３０に形成された差込口１３０ａに挿入することで組み立てられる容器１１０が知られている（例えば、特許文献１参照）。
【０００３】
この特許文献１に記載の容器１１０では、図８や図９（ａ）に示すように、差込片１５２を、フラップ本体１５１との連結箇所１５２ａから、天面板１６０とフラップ本体１５１との間の連結辺１５１ａ側に向けて延びるように形成し、当該差込片１５２を、差込口１３０ａに対して容器外側から連結辺１５１ａ側に向けて挿入することにより、容器外側に向けた力が天面板１６０に作用した場合、すなわち、連結辺１５１ａ側に向けた力がフラップ本体１５１に作用した場合であっても、差込口１３０ａの縁部に差込片１５２の根本部分が引っ掛かり、差込口１３０ａから差込片１５２が抜け出すことが無いようにしている。
【先行技術文献】
【特許文献】
【０００４】
【特許文献１】実開平６−１６２２１号公報
【発明の概要】
【発明が解決しようとする課題】
【０００５】
ところが、特許文献１に記載の容器１１０のように、連結辺１５１ａ側に向けた力がフラップ本体１５１に作用した場合に、差込口１３０ａの縁部に差込片１５２の根本部分が引っ掛かるように構成した場合であっても、差込口１３０ａに対する差込片１５２の挿入具合が不充分な場合や、フラップ本体１５１に作用した力が大きい場合には、図９（ｂ）に示すように、フラップ本体１５１が容器外側に向けて動き、結果、差込口１３０ａの縁部を軸として差込片１５２が回動して差込口１３０ａから差込片１５２が抜け出てしまうという問題があった。
【０００６】
そこで、本発明は、これらの問題点を解決するものであり、簡素な構成で、差込口からの差込片の抜け出しを確実に防止する容器を提供することを目的とするものである。
【課題を解決するための手段】
【０００７】
本発明は、一枚の板材を折り曲げることで形成される容器であって、底板と、互いに隣接して配置された第１側板および第２側板と、前記第１側板の容器内側に配置される内板と、前記第１側板の容器外側に配置されるフラップ片とを有し、前記フラップ片は、前記第２側板に直接的または間接的に連結される連結辺を有したフラップ本体と、前記フラップ本体との連結箇所から前記連結辺側に向けて延びるように形成された差込片とを有し、前記差込片は、前記第１側板に形成された差込口に容器外側から前記連結辺側に向けて挿入され、前記第１側板と前記内板との間に配置されることにより、前記課題を解決するものである。
【発明の効果】
【０００８】
請求項１に係る発明によれば、差込片が、フラップ本体との連結箇所から連結辺側に向けて延びるように形成され、当該差込片が、第１側板に形成された差込口に容器外側から連結辺側に向けて挿入され、第１側板と内板との間に配置されることにより、連結辺側に向けた力がフラップ本体に作用した場合であっても、差込口の縁部に差込片の根本部分が引っ掛かり、差込口から差込片が抜け出すことを抑制するとともに、差込口に対する差込片の挿入具合が不充分な場合や、フラップ本体に作用した力が大きい場合であっても、第１側板と内板とで差込片を挟み込み、差込口の縁部を軸とした差込片の回動を抑えることが可能であるため、差込口から差込片が抜け出すことを確実に防止することができる。
【０００９】
請求項２に係る発明によれば、内板の先端に形成された係止突部を底板に形成された係止穴に挿入することにより、内板を底板に係止することが可能であるため、内板によって差込片の回動を確実に抑えることができる。
請求項３に係る発明によれば、第２側板およびフラップ片が、容器の組立状態で、第１側板の上辺よりも上方に位置する位置決め突出部を有していることにより、これら位置決め突出部によって上方の容器を水平方向に位置決めするとともに、第１側板および内板から成る二重壁によって上方の容器を確実に支持することが可能であるため、容器をスタック容器として良好に機能させることができる。
請求項４に係る発明によれば、第２側板が、底板に対して垂直な垂直板部と、上方に向けて容器内側から容器外側に傾斜し、底板および垂直板部を連接する傾斜連接板部とを有することにより、傾斜連接板部によって容器の積み重ね易さを確保しつつ、複数の容器を水平方向に整列配置する際に、水平方向に隣接する容器間で垂直板部同士を面接触させることで、垂直板部を水平方向の位置決め面として利用して容器間の位置決めを行うことが可能であるため、第２側板の一部同士が局所的に当たることを回避して第２側板の局所的な損傷を抑制することができるとともに、一方の第２側板が他方の第２側板に乗り上がることを回避し、複数の容器を水平方向に良好に整列配置させることができる。
【図面の簡単な説明】
【００１０】
【図１】本発明の第１実施形態である容器を示す斜視図。
【図２】容器を２段に積み重ねた状態を示す斜視図。
【図３】容器を展開した状態を示す平面図。
【図４】組立途中の状態の容器を示す斜視図。
【図５】容器を示す部分断面図。
【図６】本発明の第２実施形態である容器を示す斜視図。
【図７】本発明の第３実施形態である容器を示す平面図。
【図８】従来の容器を示す斜視図。
【図９】図８に示す容器において、連結辺側に向けた力がフラップ本体に作用した場合の動作例を示す説明図。
【発明を実施するための形態】
【００１１】
以下に、本発明の第１実施形態に係る容器１０について、図面に基づいて説明する。
【００１２】
まず、容器１０は、一枚の板状の段ボールを折り曲げることで形成される容器として構成され、図１に示すように、矩形状の底板２０と、底板２０の対向する２辺（長辺）から上方に向けて立ち上がる第１側板３０と、底板２０の対向する他の２辺（短辺）から上方に向けて立ち上がる第２側板４０と、第１側板３０の容器内側に対向して配置される内板３２と、第１側板３０の容器外側に対向して配置されるフラップ片５０とから構成されている。容器１０の上部は開口している。
【００１３】
以下に、容器１０の各構成要素について、詳細に説明する。
【００１４】
第１側板３０は、図１や図３や図４に示すように、表裏に貫通する差込口３０ａと、第１側板３０を切り込みを形成することで設けられた可動片３０ｂとを有している。差込口３０ａは、上下方向に沿って延びるように形成されている。可動片３０ｂは、図３や図４に示すように、第１側板３０との連結箇所から水平方向外側に延びるように形成され、後述する差込片５２を差込口３０ａに挿入する際には、差込片５２によって押されて容器内側に向けて移動することが可能であるように形成されている。
【００１５】
内板３２は、図１や図３に示すように、第１側板３０および内板３２の上辺同士を連結する連結板３１を介して、第１側板３０に連結されている。
内板３２の先端には、図３や図４に示すように、２つの係止突部３２ａが形成されており、これら係止突部３２ａを、底板２０および第１側板３０の境界線（折曲線）上に形成された係止穴２１に挿入することにより、底板２０に対して内板３２を係止することができる。なお、係止穴２１は、底板２０のみに設けてもよい。連結板３１には、上述した可動片３０ｂに隣接して、可動片３０ｂと同じ幅の貫通孔３１ａが形成されている。
【００１６】
第２側板４０は、図１や図３に示すように、底板２０に対して垂直な垂直板部４１と、底板２０の短辺および垂直板部４１の下辺を連接する傾斜連接板部４３とを有している。傾斜連接板部４３は、上方に向けて容器内側から容器外側に傾斜するように形成され、すなわち、底板２０を挟んで対向する２つの傾斜連接板部４３は、上方に向けて間隔が広がるようにテーパ状に形成されている。
【００１７】
フラップ片５０は、図１や図３に示すように、第２側板４０の側辺に連結される連結辺５１ａを有したフラップ本体５１と、フラップ本体５１に形成された差込片５２とを有している。差込片５２は、図３や図４に示すように、フラップ本体５１に略コ字状の切り込みを形成することで設けられ、ブランクの状態で、フラップ本体５１との連結箇所５２ａからフラップ本体５１の連結辺５１ａ側に向けて延びるように形成されている。また、各フラップ片５０のフラップ本体５１には、図４に示すように、差込片５２とフラップ本体５１との連結箇所５２ａの延長線上（もしくは当該連結箇所５２ａに平行）に折曲線５１ｂが形成されており、この折曲線５１ｂによって、フラップ本体５１は折曲可能に形成されている。
【００１８】
第１実施形態に係る容器１０は、図２に示すように、上下に複数積み重ねることが可能なスタック容器として構成されている。
具体的には、垂直板部４１およびフラップ本体５１は、容器１０の組立状態で、第１側板３０の上辺よりも上方に位置する位置決め突出部４２、５３を有しており、これら位置決め突出部４２、５３によって、上方にスタックされた容器１０を水平方向に位置決めするように構成されている。また、第１側板３０と連結板３１と内板３２とは、上方にスタックされた容器１０の底板２０を支持するスタック用支持部として機能する。
また、図３に示す符号Ａは、段ボールの目方向（中空が流れている方向）を示しており、本実施形態では、上述したスタック用支持部の強度を確保するために、段ボールの目方向が第１側板３０の上下方向に沿って延びるように構成されている。
【００１９】
次に、容器１０の組立方法について、主に図４に基づいて以下に説明する。
【００２０】
まず、各フラップ片５０の差込片５２を第１側板３０に形成された差込口３０ａに容器外側から挿入する。
この際、フラップ本体５１が折曲線５１ｂで折曲可能に形成され、折曲線５１ｂでフラップ本体５１を折り曲げ折曲線５１ｂを軸として差込片５２を回動させることが可能であるとともに、差込口３０ａの水平方向内側に可動片３０ｂが形成され、可動片３０ｂを容器内側に向けて移動させることが可能であることにより、差込片５２を差込口３０ａに容易に挿入することができる。
【００２１】
次に、各内板３２の先端に形成された係止突部３２ａを係止穴２１に挿入することにより、底板２０に対して内板３２を固定し、容器１０の組立を完了する。
この容器１０の組立状態では、図５に示すように、差込片５２は、フラップ本体５１との連結箇所５２ａからフラップ本体５１の連結辺５１ａ側に向けて延びた状態で、第１側板３０と内板３２との間に挟まれている。
【００２２】
次に、本発明の第２実施形態に係る容器１０について、図６に基づいて説明する。ここで、第２実施形態では、一部構成については、前述した第１実施形態と全く同じである。そのため、相違点以外の構成については、その説明を省略する。
【００２３】
まず、第１実施形態と第２実施形態との主要な相違点は、第１実施形態においては、フラップ片５０のフラップ本体５１の連結辺５１ａが、第２側板４０に直接的に連結されているのに対して、第２実施形態においては、フラップ片５０のフラップ本体５１の連結辺５１ａが、第２側板４０に連設された天面板６０を介して、第２側板４０に間接的に連結されている点である。
以下に、第２実施形態の容器１０の具体的構成について説明する。
【００２４】
第２実施形態の容器１０では、図６に示すように、第２側板４０の上辺に連設され容器天面側に配置される天面板６０を備え、フラップ片５０は、天面板６０に連設され、天面側から第１側板３０の容器外側に垂下するように配置されている。フラップ本体５１の連結辺５１ａは、天面板６０の側辺に連結されている。また、上記に伴い、図５に示すように、第１側板３０の差込口３０ａは水平方向に沿って形成され、また、可動片３０ｂは差込口３０ａの上方に隣接して形成されている。
【００２５】
また、第２実施形態の容器１０は、複数の容器１０を上下方向に積み重ねるスタック容器ではないことから、第２側板４０は、垂直板部４１のみから形成され、垂直板部４１およびフラップ本体５１には、第１側板３０の上辺よりも上方に位置する位置決め突出部４２、５３が形成されていない。
【００２６】
次に、本発明の第３実施形態に係る容器１０について、図７に基づいて説明する。ここで、第３実施形態では、一部構成については、前述した第１実施形態と全く同じである。そのため、相違点以外の構成については、その説明を省略する。
【００２７】
上述した第１実施形態の容器１０では、図２に示すように、第２側板４０の下部に傾斜連接板部４３を設けることで容器１０の積み重ね易さを確保しているが、第３実施形態の容器１０では、図７に示すように、第２側板４０全体を上方に向けて容器内側から容器外側にテーパ状に傾斜させることで容器１０の積み重ね易さを確保している。
【００２８】
以上、本発明の実施形態を詳述したが、本発明は上記実施形態に限定されるものではなく、特許請求の範囲に記載された本発明を逸脱することなく種々の設計変更を行なうことが可能である。
【００２９】
例えば、上述した実施形態では、容器が段ボールから形成されているものとして説明したが、容器の具体的な材料は、一枚の板材であれば如何なるものでもよい。
【符号の説明】
【００３０】
１０    ・・・  容器
２０    ・・・  底板
２１    ・・・  係止穴
３０    ・・・  第１側板
３０ａ  ・・・  差込口
３１    ・・・  連結板
３１ａ  ・・・  貫通孔
３２    ・・・  内板
３２ａ  ・・・  係止突部
４０    ・・・  第２側板
４１    ・・・  垂直板部
４２    ・・・  位置決め突出部
４３    ・・・  傾斜連接板部
５０    ・・・  フラップ片
５１    ・・・  フラップ本体
５１ａ  ・・・  連結辺
５１ｂ  ・・・  折曲線
５２    ・・・  差込片
５２ａ  ・・・  連結箇所
５３    ・・・  位置決め突出部
６０    ・・・  天面板
【図１】
2016120958.tif 000003
【図２】
2016120958.tif 000004
【図３】
2016120958.tif 000005
【図４】
2016120958.tif 000006
【図５】
2016120958.tif 000007
【図６】
2016120958.tif 000008
【図７】
2016120958.tif 000009
【図８】
2016120958.tif 000010
【図９】
2016120958.tif 000011